(57)【要約】【課題】施工性を良くすることができ、また、パネル設備１全体の見栄えを良くすることができる、パネル設備の固定具２を提供することを目的とする。【解決手段】支柱材３とこの支柱材３に交差して設置されるパネル材４とを有し、例えば、建物の外壁Ｗに据え付けられるパネル設備１において、上記支柱材３とパネル材４とを固定するための固定具２であって、上記固定具２は、上記パネル材４の縁部１２を把持し得る線材保持部５と、上下の中央に上記支柱材３と係合され得る係合部６と、上記固定と係合の操作をするための摘み部７とが形成されている。【選択図】図１
2015227575.tif 000002
【特許請求の範囲】
【請求項１】
支柱材とこの支柱材に交差して設置されるパネル材とを有する建物の外壁等に据え付けられるパネル設備において、上記支柱材と上記パネル材とを固定するための上記パネル設備の固定具であって、
上記パネル材の上下縁部を上記支柱材側から保持する線材保持部と、
上記支柱材に形成された溝部に係合される線材輪部と、
上記固定および係合の操作をするための摘み部と、
を有することを特徴とするパネル設備の固定具。
【請求項２】
一本のばね線材を曲げ加工することにより形成されていることを特徴とする請求項１に記載のパネル設備の固定具。
【発明の詳細な説明】
【技術分野】
【０００１】
本発明は、パネル設備の固定具に関するものである。
【背景技術】
【０００２】
一般にパネル設備は、建物の外壁や屋上の室外機等に据え付けられ、目隠しとしての役割を果たすものである。パネル設備の据え付けには、「縦張り」と「横張り」があり、「横張り」の場合、パネル設備は、水平方向を長手方向とするパネル材と、垂直方向を長手方向とする支柱材とからなる。なお、以下では、「横張り」のパネル設備を例に説明する。上記パネル材は、その広面を支柱材とは反対方向に向けて、同支柱材に、複数行（上下方向に）設置される。このようなパネル設備が、例えば、高層階の建物の外壁に据え付けられるケースでは、雨風等の影響によりパネル材が支柱材から外れることがあり、外れたパネル材は、非常に危険な落下物となる。これにより、当該技術分野では、雨風等による影響を受けても、パネル材が外れることのない（または外れにくい）パネル設備が要望されている。このような要望に応えるため、一般的には、上記パネル材と支柱材とを固定させることで、同パネル材の外れを防止している。具体的には、このパネル材と支柱材との設置部に、固定具を取り付ける方法がある（例えば、特許文献１参照）。
【先行技術文献】
【特許文献】
【０００３】
【特許文献１】特開平６−３３０６６０号公報
【発明の概要】
【発明が解決しようとする課題】
【０００４】
しかし、パネル材と支柱材とを固定できたとしても、上記特許文献１に係る発明のスペーサ１８（上述した、固定具の一例）は、汎用性が低く、また、この取り付け後において、パネル設備全体の見栄えが悪くなるという問題点がある。このスペーサ１８の取り付けには、まず、嵌入脚１９を、パネル材の前方から上下二枚のパネル材との隙間に挿入する。そして、上記スペーサ１８の前面部である連結部２０の裏面（前方側と反対側の面）とパネル材の表面（前方側の面）とを面接触させる。その後、この連結部２０を、前方から後方（前方の反対方向）に向かって、上記パネル材に押さえ付けながら、上記嵌入脚１９の後方先端に形成されている係止突部２１と、支柱材に形成されている係止孔１７とを係合させる。これにより、上記パネル材と支柱材との設置部に上記スペーサ１８を取り付ける。このスペーサ１８は、上下二枚のパネル材との隙間に挿入されるとともに、同スペーサ１８とパネル材との隙間を埋めるため、上記嵌入脚１９の基端部（上記連結部２０との直交部）が、上記パネル材との接触部に合致し得る形状に形成されている。つまり、上記嵌入脚１９の形状は、上記パネル材との接触部に合致する形状でなくてはならないため、上記スペーサ１８は、汎用性が低い。さらに、上記スペーサ１８の取り付け後は、上記連結部２０の全面がパネル材の前方から見えてしまい、パネル設備全体の見栄えが悪くなる。さらに、上記特許文献以外の例では、パネル設備の固定具として、その上下が、パネル材の上下縁部に引っ掛かるように湾曲した鋼板等を用いることが一般的である。このような固定具によれば、この固定具の取り付け後におけるパネル前方からの見え掛かり部分は、上下の引っ掛かり部分のみとなるため、パネル設備全体の見栄えが悪くならない。しかし、このような固定具は、支柱材にビス止めされることによって、パネル材と支柱材との設置部に取り付けられるため、部品点数も増え、施工性が悪い。
【０００５】
そこで、本発明は、施工性を良くすることができ、また、パネル設備全体の見栄えを良くすることができる、パネル設備の固定具を提供することを目的とする。
【課題を解決するための手段】
【０００６】
上記課題を解決するため、本発明の請求項１に係るパネル設備の固定具は、支柱材とこの支柱材に交差して設置されるパネル材とを有する、建物の外壁等に据え付けられるパネル設備において、上記支柱材と上記パネル材とを固定するための上記パネル設備の固定具であって、
上記パネル材の上下縁部を上記支柱材側から把持する線材保持部と、
上記支柱材に形成された溝部に係合される線材輪部と、
上記固定および係合の操作をするための摘み部と、
を有するものである。
また、本発明の請求項２に係るパネル設備の固定具は、請求項１に記載のパネル設備の固定具が、一本のばね線材を曲げ加工することにより形成されている。
【発明の効果】
【０００７】
上記パネル設備の固定具によると、施工性を良くすることができ、また、パネル設備全体の見栄えを良くすることができる。
【図面の簡単な説明】
【０００８】
【図１】本発明の実施の形態に係るパネル設備の固定具の使用状態を、パネル設備の前方から見た概略斜視図である。
【図２】同固定具の使用状態におけるパネル設備の縦断面を示す。
【図３】図２におけるＡ−Ａ断面を示す。
【図４】同固定具の取り付け工程を示す。
【図５】図４で示した工程の、次の工程を示す。
【図６】図５で示した工程の、次の工程を示す。
【図７】本発明の他の実施の形態に係るパネル設備の固定具の使用状態におけるパネル設備の縦断面を示す。
【発明を実施するための形態】
【０００９】
以下、本発明の実施の形態に係るパネル設備の固定具２について説明する。
まず、上記パネル設備の固定具２が使用される同パネル設備１の概略について説明する。
【００１０】
図１に示すように、このパネル設備１は、パネル設備１を受けるための下地部材Ｆに設けられた支柱材３と、この支柱材３に交差して設置されるパネル材４とを有し、例えば、建物の外壁Ｗに据え付けられる。このパネル材４は、概略的に長板状の鋼板であり、長手方向が水平に且つ短手方向が垂直にされ（横張りの場合である）、上記建物の外壁Ｗに沿って上記支柱材３に設置される。上記パネル材４は、上記支柱材３に設置されるために、長板状の両長辺を折り返すように湾曲させることで、上下の縁部１２が円弧状に形成されている。上記パネル材４の上記支柱材３への設置を確実にするための固定具が、上記パネル設備の固定具２（以下、単に固定具２という）となる。ここで、上記パネル材４、支柱材３、下地部材Ｆおよび建物の外壁Ｗの位置関係は、建物の外壁Ｗの外方側から、パネル材４、支柱材３、下地部材Ｆおよび建物の外壁Ｗの順となる。なお、以下では、建物の外壁Ｗの外方側を前とし、その反対側を後とする。また、この前後に水平面で直交する方向を左右とする。
【００１１】
次に、上記固定具２について図１、２に基づいて詳細に説明する。
図１に示すように、この固定具２は、一本のばね線材を曲げ加工することにより形成されており、パネル材４を把持するとともに支柱材３に係合されて取り付けられるものである。具体的に説明すると、上記固定具２は、上記パネル材４の上下の縁部１２をそれぞれ上下から把持する上下の線材保持部５と、上記支柱材３の係合溝８（後述する）に係合される係合部６（線材輪部の一例である）と、上記固定および係合の操作をするための摘み部７とを有する。
【００１２】
図２に示すように、上下の線材保持部５は、それぞれ、上下の端部から前下方／前上方に向けて、上記パネル材４の上下の縁部１２に沿うように（例えば円弧状に）湾曲させたものである。これら上下の線材保持部５は、上記パネル材４の前方から目立たないためにも、線材の先端が同パネル材４の前面に殆ど掛からない程度に湾曲される。例えば、円弧状の上記線材保持部５における円弧角は、１３０°以下にされる。また、これら上下の線材保持部５における線材の先端は、上記パネル材４を傷つけないために、同パネル材４の上下の縁部１２に接する側がアール加工などにより滑らかにされている。
【００１３】
ここで、上記固定具２の係合部６を説明する前に、この係合部６が係合される上記支柱材３の係合溝８について説明する。この係合溝８は、上記支柱材３における上記固定具２側（例えば図１だと右側）に面する板材に形成された貫通溝である。また、上記係合溝８の正面視は、図２によく示すように、起立した舟形状となる。すなわち、上記係合溝８は、縦溝部９（舟形状でいう舟底部分）と、この縦溝部９の上下端からそれぞれ、前上方／前下方に切れ込んだ上下の斜溝部１０（舟形状でいう舟べり部分）とを有する。このため、上下の斜溝部１０の間は、必然的に後方への突出部１１が形成される。なお、上記係合溝８が形成される高さは、上記支柱材３に設置された上記パネル材４の、上下の縁部１２のそれぞれの間に相当する位置であればよい。本実施例での上記係合溝８が形成される高さは、上記支柱材３に設置された上記パネル材４の短手方向における中央位置に相当する。
【００１４】
この係合溝８に対して、上記固定具２の係合部６は、上記縦溝部９に右側から挿入された後に、上記突出部１１に係合されるように構成される。具体的に説明すると、図３に示すように、上記係合部６は、上記支柱材３側に突出して半円弧状に線材が形成されたものである。この半円弧状は、内径が上記突出部１１の上下幅よりも大きく、外径が上下の斜溝部１０の上下縁よりも小さくされる。また、上記係合部６は、上下の線材保持部５が上記パネル材４の上下の縁部１２を把持した際に、上下の斜溝部１０を貫通する位置に形成される。つまり、本実施例の場合、上記係合部６は、上下の線材保持部５の中央位置に形成されるが、同係合部６は、上記斜溝部１０を貫通する位置に形成されていればよく、すなわち、上記係合溝８が形成される高さに合わせた位置に形成されていればよい。
【００１５】
また、上記摘み部７は、図３に示すように、上記支柱材３側の反対側に突出して略コの字状に線材を形成したものである。この摘み部７は、上記線材保持部５と上記係合部６との間に位置するが、操作性を考慮すれば、同線材保持部５に近い方が好ましい。なお、図中では、上記摘み部７が一つのみ形成されている場合を示しているが、同摘み部７は、一つに限定されず、複数あってもよい。例えば、上記支柱材３側の反対側に突出して形成された上記摘み部７は、上記係合部６を挟んで、上記固定具２の上下の二カ所に形成されていてもよい。
【００１６】
上記固定具２は、その撓みからの復元力により上下の線材保持部５で上記パネル材４を把持するために、手で撓ませることができるとともに、撓みによる十分な復元力を有する構成にされる。具体的に説明すると、上記固定具２には、上述したばね線材が用いられるだけでなく、材質が所定のステンレス鋼（例えばＳＵＳ３０４−ＷＰＢ）にされる。また、例えば、用いられる線材の直径が３mmにされるとともに、上記固定具２において、上下方向の長さが８４mm、前後方向の奥行きが１９mm、左右方向の幅が１２mmにされる。
【００１７】
以下、上記固定具２の使用方法について説明する。
上記固定具２の取り付けは、上記摘み部７を持って行う。これによって、より一層、同固定具２の取り付けが楽になり、施工性がよくなる。まず、図４に示すように、上の線材保持部５を、後方から前下方に、上記パネル材４の上の縁部１２に掛け合わす。次に、図５に示すように、上の線材保持部５を支点として、上記固定具２を、前下方に回転させる。そして、回転の途中に、上記固定具２を、上記支柱材３側に若干摺動させながら、上記係合部６を、上記係合溝８に挿入させる。最後に、図６に示すように、上記固定具２の下の線材保持部５を、後方から前方に押し込むことで上記パネル材４の下の縁部１２に掛け合わす。この、図６に示した工程の際、上記係合部６は、上記係合溝８の内部前方に入り込み、上記突出部１１に引っ掛かる。これによって、上記係合部６は、上記係合溝８と係合し、同係合溝８から外れることがない。また、上記固定具２は、上述のとおり、撓ませることができるとともに、撓みによる十分な復元力を有している。すなわち、上記固定具２は金属弾性体であるため、同固定具２は、上記パネル材４に掛け合わされた際に、同パネル材４を上下方向から押し縮めるような弾性力を働かせる。この弾性力によって上記固定具２は、上記パネル材４を強固に把持する。そのため、上記固定具２は、上記パネル材４と上記支柱材３との設置部一カ所につき、一個の使用で、十分に同パネル材４を把持することができる。また、上記固定具２の弾性力は強いため、通常なら同固定具２の取り付けに力を要するが、上記摘み部７を持つことで、力を要さずに同固定具２を取り付けることができる。ここで、上記固定具２の使用は一個に限定されず、上記パネル材４の把持をさらに強固にするため、二個をそれぞれ上記支柱材３の両側面に取り付けてもよい。さらに、上述のとおり上記係合部６が、上記固定具２の上下の中央に形成されている場合は、上記固定具２を、上記支柱材３の左右両側面のうち任意に選んだ一方の側面に取り付けることができる。具体的には、上記固定具２が、上記支柱材３の左側面（図１でいう左側）に取り付けられる場合、同固定具２は本実施例（固定具２を支柱材３の右側面に取り付ける例）とは逆さまとなる。しかし、この固定具２は逆さまになっても、上記係合部６が同固定具２の上下の中央にあるため、同係合部６から上下それぞれの線材保持部５までの長さは、当然であるが本実施例による場合と変わらない。これにより、上記固定具２の取り付け面が左右反転しても、上下の線材保持部５を、上記パネル材４の上下の縁部１２に掛け合わすことができる。この場合、上記固定具２は逆さまになるため、同固定具２の取り付け手順も逆さまとなる。しかし、上述のように、上記摘み部７が、上記固定具２の上記係合部６を挟んだ上下二カ所に形成されている場合は、同摘み部７を取り付け面によって使い分けることができるため、同固定具２の取り付け手順は、本実施例による場合と逆さまにならない。以上、上記固定具２が取り付けられれば、同固定具２のパネル材４の前方から見える部分は、上下の線材保持部５の先端部のみであるため、パネル材４の前方からの同固定具２の見え掛かりが少ない。よって、上記固定具２の取り付け後においても、上記パネル設備１は、全体の景観を損なわず、見栄えを良くすることができる。
【００１８】
このように、上記固定具２によると、同固定具２の取り付けは、パネル材４の後方からの作業のみでよい。さらに、上記摘み部７を持つことで、より一層、同固定具２の取り付けが楽になり、施工性を良くすることができる。取り付け後においても、パネル材４の前方から見える部分は、上記固定具２の上下の線材保持部５の先端部のみであるため、パネル材４の前方からの見え掛かりが少ない。これによって、上記固定具２を取り付けても、上記パネル設備１は、全体の景観を損なわず、見栄えを良くすることができる。また、上記固定具２の、上記支柱材３と係合され得る上記係合部６が、上下の中央に形成されている場合は、同支柱材３の左右両側面において、その取り付け面が限定されない。また、この固定具２の製造過程では、その上下長さを、パネル材４の上下幅に合わしさえすればよいので、あらゆる支柱材の形態（例えば傾斜型支柱材）にも対応できる（例えば図７参照）。すなわち、上記固定具２は、汎用性が高い。
【００１９】
ところで、冒頭で述べたように、パネル設備１の据え付けには、「横張り」と「縦張り」があり、上記実施の形態では「横張り」について説明したが、それに限定されず「縦張り」であってもよい。
また、上記実施の形態では、パネル材４の上下の縁部１２をそれぞれ上下から把持する上下の線材保持部５について説明したが、把持することに限定されず、単に上下から挟み込むだけなど、保持するものであればよい。
【００２０】
また、上記実施の形態では、固定具２は一本のばね線材を曲げ加工することにより形成されたものとして説明したが、少なくとも線材保持部５が線材により形成されたものであればよい。
【００２１】
さらに、上記実施の形態で説明した固定具２の寸法および材質は一例に過ぎず、パネル材４の大きさなどに応じて、任意に決定されるものである。
【符号の説明】
【００２２】
Ｗ    外壁
Ｆ    下地部材
１    パネル設備
２    固定具
３    支柱材
４    パネル材
５    線材保持部
６    係合部
７    摘み部
８    係合溝
９    縦溝部
１０  斜溝部
１１  突出部
１２  縁部
【図１】
2015227575.tif 000003
【図２】
2015227575.tif 000004
【図３】
2015227575.tif 000005
【図４】
2015227575.tif 000006
【図５】
2015227575.tif 000007
【図６】
2015227575.tif 000008
【図７】
2015227575.tif 000009